(57)【要約】【課題】保守点検中には発報装置による発報を停止するとともに、保守点検終了後には発報装置の発報をより確実に可能にすることができる乗客コンベヤ発報システムを得る。【解決手段】機械室１の開口部を開閉するマンホールカバー２に着脱可能に設けられるマンホールビス４と、マンホールビス４がマンホールカバー２に取り付けられているか否かを判定するビス取付判定装置３１と、ビス取付判定装置３１の判定結果に基づいて、エスカレーターの運転モードを通常運転モードと保守点検モードとの間で切り換える保守点検スイッチ３２とを備え、異常検出装置７がエスカレーターの異常を検出し、運転モードが通常運転モードである場合に、発報装置３３が発報する。【選択図】図４
2019018993.tif 000002
【特許請求の範囲】
【請求項１】
機械室の開口部を開閉するマンホールカバーに着脱可能に設けられるマンホールビスと、
前記マンホールビスが前記マンホールカバーに取り付けられているか否かを判定するビス取付判定装置と、
前記ビス取付判定装置の判定結果に基づいて、エスカレーターの運転モードを通常運転モードと保守点検モードとの間で切り換える保守点検スイッチと
を備え、
異常検出装置がエスカレーターの異常を検出し、前記運転モードが前記通常運転モードである場合に、発報装置が発報する乗客コンベヤ発報システム。
【請求項２】
機械室の開口部を開閉するマンホールカバーに着脱可能に設けられるマンホールビスと、
前記機械室に設けられ、前記マンホールカバーから取り外された前記マンホールビスが取り付けられるビス取付対象装置と、
前記ビス取付対象装置に前記マンホールビスが取り付けられているか否かを判定するビス取付判定装置と、
前記ビス取付判定装置の判定結果に基づいて、エスカレーターの運転モードを通常運転モードと保守点検モードとの間で切り換える保守点検スイッチと
を備え、
異常検出装置がエスカレーターの異常を検出し、前記運転モードが前記通常運転モードである場合に、発報装置が発報する乗客コンベヤ発報システム。
【請求項３】
機械室の開口部を開閉するマンホールカバーに着脱可能に設けられるマンホールビスと、
前記機械室に設けられ、前記マンホールカバーから取り外された前記マンホールビスが取り付けられるビス取付対象装置と、
前記マンホールビスが前記マンホールカバーに取り付けられているか否かを判定し、前記マンホールビスが前記ビス取付対象装置に取り付けられているか否かを判定するビス取付判定装置と、
前記ビス取付判定装置の判定結果に基づいて、エスカレーターの運転モードを通常運転モードと保守点検モードとの間で切り換える保守点検スイッチと
を備え、
異常検出装置がエスカレーターの異常を検出し、前記運転モードが前記通常運転モードである場合に、発報装置が発報する乗客コンベヤ発報システム。
【請求項４】
機械室の開口部を開閉するマンホールカバーに着脱可能に設けられるマンホールビスと、
前記機械室に設けられ、前記マンホールカバーから取り外された前記マンホールビスが取り付けられるビス取付対象装置と、
前記機械室に設けられ、操作されることによって、エスカレーターの運転モードを通常運転モードと保守点検モードとの間で切り換える保守点検スイッチと
を備え、
前記マンホールビスが前記ビス取付対象装置に取り付けられることによって前記保守点検スイッチが操作されて前記運転モードが前記通常運転モードから前記保守点検モードに切り換わり、前記マンホールビスが前記ビス取付対象装置から取り外されることによって前記保守点検スイッチが操作されて前記運転モードが前記保守点検モードから前記通常運転モードに切り換わり、
異常検出装置がエスカレーターの異常を検出し、前記運転モードが前記通常運転モードである場合に、発報装置が発報する乗客コンベヤ発報システム。
【請求項５】
前記ビス取付対象装置は、制御盤の上部に取り付けられている請求項３または請求項４に記載の乗客コンベヤ発報システム。
【発明の詳細な説明】
【技術分野】
【０００１】
この発明は、運転モードが保守点検モードである場合に発報を停止する乗客コンベヤ発報システムに関する。
【背景技術】
【０００２】
従来、エスカレーターの異常を検出する異常検出装置と、機械室に配置され、操作されることによって、エスカレーターの運転モードを通常運転モードと保守点検モードとの間で切り換える保守点検スイッチと、異常検出装置がエスカレーターの異常を検出し、エスカレーターの運転モードが通常運転モードである場合に発報し、エスカレーターの運転モードが保守点検モードである場合に発報を停止する発報装置とを備えたエスカレーター発報システムが知られている（例えば、特許文献１参照）。
【先行技術文献】
【特許文献】
【０００３】
【特許文献１】特開２０１０−１４３６７６号公報
【発明の概要】
【発明が解決しようとする課題】
【０００４】
しかしながら、保守点検終了後に作業者が保守点検スイッチを操作することを忘れて、エレベーターの運転モードが保守点検モードのままとなった場合には、異常検出装置がエスカレーターの異常を検出しても発報装置が発報しないという問題点があった。
【０００５】
この発明は、上述のような課題を解決するためになされたものであり、その目的は、保守点検中には発報装置による発報を停止するとともに、保守点検終了後には発報装置の発報をより確実に可能にすることができる乗客コンベヤ発報システムを提供するものである。
【課題を解決するための手段】
【０００６】
この発明に係る乗客コンベヤ発報システムは、機械室の開口部を開閉するマンホールカバーに着脱可能に設けられるマンホールビスと、マンホールビスがマンホールカバーに取り付けられているか否かを判定するビス取付判定装置と、ビス取付判定装置の判定結果に基づいて、エスカレーターの運転モードを通常運転モードと保守点検モードとの間で切り換える保守点検スイッチとを備え、異常検出装置がエスカレーターの異常を検出し、運転モードが通常運転モードである場合に、発報装置が発報する。
【発明の効果】
【０００７】
この発明に係る乗客コンベヤ発報システムによれば、機械室の開口部を開閉するマンホールカバーに着脱可能に設けられるマンホールビスと、マンホールビスがマンホールカバーに取り付けられているか否かを判定するビス取付判定装置と、ビス取付判定装置の判定結果に基づいて、エスカレーターの運転モードを通常運転モードと保守点検モードとの間で切り換える保守点検スイッチとを備え、異常検出装置がエスカレーターの異常を検出し、運転モードが通常運転モードである場合に、発報装置が発報するので、保守点検中には発報装置による発報を停止するとともに、保守点検終了後には発報装置の発報をより確実に可能にすることができる。
【図面の簡単な説明】
【０００８】
【図１】この発明の実施の形態１に係るエスカレーター発報システムを示す構成図である。
【図２】図１のマンホールカバーを示す平面図である。
【図３】図２のマンホールカバーおよびマンホールビスを示す断面図である。
【図４】図１の制御盤を示すブロック図である。
【図５】この発明の実施の形態２に係るエスカレーター発報システムを示すブロック図である。
【図６】図５の制御盤、ビス取付対象装置およびビス取付検出装置を示す正面図である。
【図７】この発明の実施の形態３に係るエスカレーター発報システムを示すブロック図である。
【発明を実施するための形態】
【０００９】
実施の形態１．
図１はこの発明の実施の形態１に係るエスカレーター発報システムを示す構成図である。図において、エスカレーター発報システムは、機械室１に形成された開口部を開閉するマンホールカバー２と、機械室１に設けられた制御盤３とを備えている。この例では、機械室１が主枠における上階側階床に隣り合う部分に配置される構成について説明するが、機械室１が主枠における下階側階床に隣り合う部分に配置される構成であってもよい。
【００１０】
図２は図１のマンホールカバー２を示す平面図である。エスカレーター発報システムは、マンホールカバー２に着脱可能に設けられたマンホールビス４をさらに備えている。マンホールカバー２には、ねじ孔が形成されている。マンホールビス４は、マンホールカバー２のねじ孔に挿入されている。マンホールカバー２のねじ孔には、マンホールカバー２を機械室１の開口部から取り外す場合に、図示しないＴ字ハンドルが挿入される。したがって、マンホールビス４は、マンホールカバー２が機械室１の開口部から取り外される場合に、マンホールカバー２から取り外される。
【００１１】
図３は図２のマンホールカバー２およびマンホールビス４を示す断面図である。エスカレーター発報システムは、マンホールビス４がマンホールカバー２に取り付けられていることを検出するビス取付検出装置５をさらに備えている。ビス取付検出装置５の検出信号は、制御盤３に入力されるようになっている。
【００１２】
図４は図１の制御盤３を示すブロック図である。制御盤３は、ビス取付検出装置５の検出信号に基づいて、マンホールビス４がマンホールカバー２に取り付けられているか否かを判定するビス取付判定装置３１と、エスカレーターの運転モードを通常運転モードと保守点検モードとの間で切り換える保守点検スイッチ３２と、外部である監視盤６に発報する発報装置３３と、発報装置３３の発報を制御する発報制御装置３４とを備えている。エスカレーターの異常を検出する異常検出装置７の検出信号は、発報制御装置３４に入力されるようになっている。
【００１３】
保守点検スイッチ３２は、ビス取付判定装置３１の判定結果に基づいて、運転モードを通常運転モードと保守点検モードとの間で切り換える。具体的には、マンホールビス４がマンホールカバー２に取り付けられていないとビス取付判定装置３１が判定する場合に、運転モードは保守点検モードとなり、マンホールビス４がマンホールカバー２に取り付けられているとビス取付判定装置３１が判定する場合に、運転モードが通常運転モードとなる。
【００１４】
発報制御装置３４は、異常検出装置７がエスカレーターの異常を検出し、運転モードが通常運転モードである場合に、発報装置３３に発報させる。一方、発報制御装置３４は、運転モードが保守点検モードである場合に、発報装置３３の発報を停止させる。この場合、異常検出装置７がエスカレーターの異常を検出しても、発報装置３３は監視盤６に発報しない。
【００１５】
次に、作業者が機械室１において保守点検作業を行う場合のエスカレーター発報システムの動作について説明する。まず、作業者がマンホールカバー２を機械室１の開口部から外すために、マンホールビス４をマンホールカバー２から取り外す。マンホールビス４がマンホールカバー２から取り外されると、ビス取付判定装置３１はマンホールビス４がマンホールカバー２から取り外されたと判定する。
【００１６】
マンホールビス４がマンホールカバー２から取り外されたとビス取付判定装置３１が判定すると、保守点検スイッチ３２は、エスカレーターの運転モードを通常運転モードから保守点検モードに切り換える。
【００１７】
エスカレーターの運転モードが通常運転モードから保守点検モードに切り換えられると、異常検出装置７がエスカレーターの異常を検出した場合であっても、発報装置３３は監視盤６に発報しない。
【００１８】
機械室１における保守点検作業が終了すると、作業者は、マンホールカバー２を用いて機械室１の開口部を閉じ、マンホールカバー２にマンホールビス４を取り付ける。マンホールカバー２にマンホールビス４が取り付けられると、ビス取付判定装置３１は、マンホールビス４がマンホールカバー２に取り付けられたと判定する。
【００１９】
マンホールビス４がマンホールカバー２に取り付けられたとビス取付判定装置３１が判定すると、保守点検スイッチ３２は、エスカレーターの運転モードを保守点検モードから通常運転モードに切り換える。
【００２０】
エスカレーターの運転モードが保守点検モードから通常運転モードに切り換えられると、異常検出装置７がエスカレーターの異常を検出した場合に、発報装置３３は監視盤６に発報する。
【００２１】
以上説明したように、この発明の実施の形態１に係るエスカレーター発報システムによれば、機械室１の開口部を開閉するマンホールカバー２に着脱可能に設けられるマンホールビス４と、マンホールビス４がマンホールカバー２に取り付けられているか否かを判定するビス取付判定装置３１と、ビス取付判定装置３１の判定結果に基づいて、エスカレーターの運転モードを通常運転モードと保守点検モードとの間で切り換える保守点検スイッチ３２とを備え、異常検出装置７がエスカレーターの異常を検出し、運転モードが通常運転モードである場合に、発報装置３３が発報するので、保守点検中には発報装置３３による発報を停止するとともに、保守点検終了後には発報装置３３の発報をより確実に可能にすることができる。
【００２２】
また、マンホールビス４がマンホールカバー２に取り付けられているか否かに基づいて、エスカレーターの運転モードが切り換えられるので、作業者は保守点検終了後に、マンホールビス４がマンホールカバー２に取り付けられているか否かを目視するだけで、エスカレーターの運転モードを確認することができ、保守点検作業の作業効率を向上させることができる。
【００２３】
実施の形態２．
図５はこの発明の実施の形態２に係るエスカレーター発報システムを示すブロック図である。エスカレーター発報システムは、機械室１に設けられ、マンホールカバー２から取り外されたマンホールビス４が取り付けられるビス取付対象装置８と、ビス取付対象装置８にマンホールビス４が取り付けられていることを検出するビス取付検出装置９とを備えている。ビス取付検出装置９の検出信号は、制御盤３に入力されるようになっている。
【００２４】
図６は図５の制御盤３、ビス取付対象装置８およびビス取付検出装置９を示す正面図である。ビス取付対象装置８およびビス取付検出装置９は、制御盤３の上部に取り付けられている。ビス取付対象装置８およびビス取付検出装置９は、制御盤３に接触して配置されている。
【００２５】
図５に示すように、ビス取付判定装置３１は、ビス取付検出装置９の検出信号に基づいて、マンホールビス４がビス取付対象装置８に取り付けられているか否かを判定する。
【００２６】
保守点検スイッチ３２は、ビス取付判定装置３１の判定結果に基づいて、エスカレーターの運転モードを通常運転モードと保守点検モードとの間で切り換える。具体的には、マンホールビス４がビス取付対象装置８に取り付けられているとビス取付判定装置３１が判定する場合に、運転モードは保守点検モードとなり、マンホールビス４がビス取付対象装置８に取り付けられていないとビス取付判定装置３１が判定する場合に、運転モードが通常運転モードとなる。
【００２７】
発報制御装置３４は、異常検出装置７がエスカレーターの異常を検出し、運転モードが通常運転モードである場合に、発報装置３３に発報させる。一方、発報制御装置３４は、運転モードが保守点検モードである場合に、発報装置３３の発報を停止させる。この場合、異常検出装置７がエスカレーターの異常を検出しても、発報装置３３は監視盤６に発報しない。その他の構成は、実施の形態１と同様である。
【００２８】
以上説明したように、この発明の実施の形態２に係るエスカレーター発報システムによれば、機械室１の開口部を開閉するマンホールカバー２に着脱可能に設けられるマンホールビス４と、機械室１に設けられ、マンホールカバー２から取り外されたマンホールビス４が取り付けられるビス取付対象装置８と、ビス取付対象装置８にマンホールビス４が取り付けられているか否かを判定するビス取付判定装置３１と、ビス取付判定装置３１の判定結果に基づいて、エスカレーターの運転モードを通常運転モードと保守点検モードとの間で切り換える保守点検スイッチ３２とを備え、異常検出装置７がエスカレーターの異常を検出し、運転モードが通常運転モードである場合に、発報装置３３が発報するので、保守点検中には発報装置３３による発報を停止するとともに、保守点検終了後には発報装置３３の発報をより確実に可能にすることができる。
【００２９】
また、機械室１に設けられたビス取付対象装置８にマンホールビス４が取り付けられているか否かに基づいて、エスカレーターの運転モードが切り換えられるので、作業者は保守点検終了後に、マンホールビス４がマンホールカバー２に取り付けられているか否かを目視するだけで、エスカレーターの運転モードを確認することができ、保守点検作業の作業効率を向上させることができる。
【００３０】
また、ビス取付対象装置８が制御盤３の上部に取り付けられているので、ビス取付検出装置９と制御盤３との間の配線を、制御盤３の外部に通さずに設置することができる。また、ビス取付対象装置８が制御盤３の上部に取り付けられているので、機械室１における作業スペースがビス取付対象装置８によって狭められることを防止することができる。
【００３１】
なお、上記実施の形態２では、ビス取付対象装置８にマンホールビス４が取り付けられているか否かを判定するビス取付判定装置３１を備えた構成について説明したが、マンホールビス４がビス取付対象装置８に取り付けられることによって保守点検スイッチ３２が機械的に操作されて運転モードが通常運転モードから保守点検モードに切り換わり、また、マンホールビス４がビス取付対象装置８から取り外されることによって保守点検スイッチ３２が機械的に操作されて運転モードが保守点検モードから通常運転モードに切り換わる構成であってもよい。この場合、ビス取付検出装置９およびビス取付判定装置３１が不要となるので、エスカレーター発報システムの構成を簡略化することができる。
【００３２】
実施の形態３．
図７はこの発明の実施の形態３に係るエスカレーター発報システムを示すブロック図である。エスカレーター発報システムは、マンホールビス４がマンホールカバー２に取り付けられていることを検出するビス取付検出装置５と、機械室１に設けられ、マンホールカバー２から取り外されたマンホールビス４が取り付けられるビス取付対象装置８と、ビス取付対象装置８にマンホールビス４が取り付けられていることを検出するビス取付検出装置９とを備えている。ビス取付検出装置５の検出信号およびビス取付検出装置９の検出信号は、制御盤３に入力されるようになっている。ビス取付対象装置８およびビス取付検出装置９は、制御盤３の上部に取り付けられている。ビス取付対象装置８およびビス取付検出装置９は、制御盤３に接触して配置されている。
【００３３】
ビス取付判定装置３１は、ビス取付検出装置５の検出信号に基づいて、マンホールビス４がマンホールカバー２に取り付けられているか否かを判定する。また、ビス取付判定装置３１は、ビス取付検出装置９の検出信号に基づいて、マンホールビス４がビス取付対象装置８に取り付けられているか否かを判定する。
【００３４】
保守点検スイッチ３２は、ビス取付判定装置３１の判定結果に基づいて、エスカレーターの運転モードを通常運転モードと保守点検モードとの間で切り換える。具体的には、マンホールビス４がマンホールカバー２に取り付けられていないとビス取付判定装置３１が判定し、かつ、マンホールビス４がビス取付対象装置８に取り付けられているとビス取付判定装置３１が判定する場合に、運転モードは保守点検モードとなる。一方、マンホールビス４がマンホールカバー２に取り付けられているとビス取付判定装置３１が判定し、かつ、マンホールビス４がビス取付対象装置８に取り付けられていないとビス取付判定装置３１が判定する場合に、運転モードは通常運転モードとなる。その他の構成は、実施の形態１または実施の形態２と同様である。
【００３５】
発報制御装置３４は、異常検出装置７がエスカレーターの異常を検出し、運転モードが通常運転モードである場合に、発報装置３３に発報させる。一方、発報制御装置３４は、運転モードが保守点検モードである場合に、発報装置３３の発報を停止させる。この場合、異常検出装置７がエスカレーターの異常を検出しても、発報装置３３は監視盤６に発報しない。その他の構成は、実施の形態１または実施の形態２と同様である。
【００３６】
以上説明したように、この発明の実施の形態３に係るエスカレーター発報システムによれば、機械室１の開口部を開閉するマンホールカバー２に着脱可能に設けられるマンホールビス４と、機械室１に設けられ、マンホールカバー２から取り外されたマンホールビス４が取り付けられるビス取付対象装置８と、マンホールビス４がマンホールカバー２に取り付けられているか否かを判定し、マンホールビス４がビス取付対象装置８に取り付けられているか否かを判定するビス取付判定装置３１と、ビス取付判定装置３１の判定結果に基づいて、エスカレーターの運転モードを通常運転モードと保守点検モードとの間で切り換える保守点検スイッチ３２とを備え、異常検出装置７がエスカレーターの異常を検出し、運転モードが通常運転モードである場合に、発報装置３３が発報するので、保守点検中には発報装置３３による発報を停止するとともに、保守点検終了後には発報装置３３の発報をより確実に可能にすることができる。
【００３７】
なお、各上記実施の形態では、乗客コンベヤとして、エスカレーターを例に説明したが、これに限らず、例えば、動く歩道であってもよい。
【符号の説明】
【００３８】
１  機械室、２  マンホールカバー、３  制御盤、４  マンホールビス、５  ビス取付検出装置、６  監視盤、７  異常検出装置、８  ビス取付対象装置、９  ビス取付検出装置、３１  ビス取付判定装置、３２  保守点検スイッチ、３３  発報装置、３４  発報制御装置。
【図１】
2019018993.tif 000003
【図２】
2019018993.tif 000004
【図３】
2019018993.tif 000005
【図４】
2019018993.tif 000006
【図５】
2019018993.tif 000007
【図６】
2019018993.tif 000008
【図７】
2019018993.tif 000009